(57)【要約】【課題】画像読取時に欠落画素が生じたことをユーザに通知して警告を与えるようにする画像読取装置、画像形成装置、プログラム及び記録媒体を提供する。【解決手段】原稿を読み取る前に欠落画素検出用の画像を読み取り、欠陥画素処理部４０に渡す。２値化手段４１は検出用画像から欠落画素を検出し、記憶手段４２に保持させる。保持された欠落画素は欠陥画素補正手段４５により補正される。次に、欠落画素が補正された画像データと補正したか否かを示す情報とを、制御手段４４、欠陥画素補正手段４５からＩ／Ｆコントローラ４６を介してＣＰＵ４７が読み取り、ＭＯＤＥＭ４８を介して送信（信号４９）する。【選択図】　　　　図７
2004112359.tif 000002
【特許請求の範囲】
【請求項１】
原稿を光学的に読み取り、画像データを出力する光電変換手段と、前記画像データにおける濃度情報が欠落した画素を検出する欠陥画素検出手段とを有する画像読取装置において、
前記欠陥画素検出手段が欠落画素を検出したことをユーザに通知する通知手段を設けたことを特徴とする画像読取装置。
【請求項２】
前記欠落画素を補正して補正後画像データを得る補正手段と、前記補正後画像データと補正前画像データとをユーザに送信する通信手段とを設けたことを特徴とする請求項１記載の画像読取装置。
【請求項３】
前記欠落画素を補正して前記補正後画像データを得る補正手段と、前記補正後画像データと前記補正前画像データのいずれかをユーザに選択させる情報を送信すると共に、この情報に応じてユーザが選択した前記補正後画像データ又は前記補正前画像データを送信する通信手段とを設けたことを特徴とする請求項１記載の画像読取装置。
【請求項４】
前記欠落画素を補正して前記補正後画像データを得る補正手段と、前記補正後画像データと前記補正前画像データとを表示する表示手段と、ユーザの選択に基づいて前記補正後画像データ又は前記補正前画像データを送信する通信手段とを設けたことを特徴とする請求項１記載の画像読取装置。
【請求項５】
欠落画素を補正した補正後画像データと補正前画像データとを受信して保持する受信保持手段と、
前記保持した二つの画像データの一つを選択する選択手段と、
前記選択した補正後画像データ又は補正前画像データを用いて画像形成する画像形成手段とを設けたことを特徴とする画像形成装置。
【請求項６】
前記欠落画素を補正した前記補正後画像データと前記補正前画像データのいずれかを選択する選択手段と、
前記選択を促す情報を受信しこれに応じて前記選択手段で選択した情報を送信する通信手段と、
前記選択した情報に応じて送られてきた前記補正後画像データ又は前記補正前画像データを用いて画像形成する画像形成手段とを設けたことを特徴とする画像形成装置。
【請求項７】
原稿を光学的に読み取り、画像データを出力する光電変換処理と、
前記画像データにおける濃度情報が欠落した画素を検出する欠陥画素検出処理と、
前記欠落画素が検出されたことをユーザに通知する通知処理とをコンピュータに実行させるプログラム。
【請求項８】
前記欠落画素を補正して補正後画像データを得る補正処理と、前記補正後画像データと補正前画像データとをユーザに送信する通信処理とをコンピュータに実行させる請求項７記載のプログラム。
【請求項９】
前記欠落画素を補正して前記補正後画像データを得る前記補正処理と、前記補正後画像データと前記補正前画像データのいずれかをユーザに選択させる情報を送信する送信処理と、この情報に対するユーザの応答を受信する受信処理と、前記応答によりユーザが選択した前記補正後画像データ又は前記補正前画像データを送信する通信処理とをコンピュータに実行させる請求項７記載のプログラム。
【請求項１０】
前記欠落画素を補正して前記補正後画像データを得る前記補正処理と、前記補正後画像データと前記補正前画像データとを表示する表示処理と、ユーザの選択に基づいて前記補正後画像データ又は前記補正前画像データを送信する前記送信処理とをコンピュータに実行させる請求項７記載のプログラム。
【請求項１１】
前記欠落画素を補正した前記補正後画像データと前記補正前画像データとを受信して保持する受信保持処理と、
前記保持した二つの画像データの一つを選択する選択処理と、
前記選択した補正後画像データ又は補正前画像データを用いて画像形成する画像形成処理とをコンピュータに実行させるプログラム。
【請求項１２】
前記欠落画素を補正した前記補正後画像データと前記補正前画像データのいずれかを選択する前記選択処理と、
前記選択を促す情報を受信しこれに応じて前記選択処理で選択した情報を送信する前記送信処理と、
前記選択した情報に応じて送られてきた前記補正後画像データ又は前記補正前画像データを用いて画像形成する画像形成処理とをコンピュータに実行させるプログラム。
【請求項１３】
請求項７から１２のいずれか１項に記載のプログラムを記録した記録媒体。
【発明の詳細な説明】
【０００１】
【発明の属する技術分野】
本発明は、ディジタル複写機、ファクシミリ、イメージスキャナ等の原稿を光学的に読み取る画像読取装置、画像形成装置、プログラム及び記録媒体に関する。
【０００２】
【従来の技術】
従来より、画像読取装置の光路上に付着したゴミや、白スジや黒スジの発生原因となる基準白板の汚れ、コンタクトガラス面上の汚れ等により生じた読み取り画像の画素情報の欠落を補正する技術として、欠落画素に隣接する正常と思われる画素データを用いて欠落した画素の情報を補う方法（例えば、特許文献１）、ゴミ成分として検出された画素を補正する方法（例えば、特許文献２）、副走査方向に分割された複数ブロックから読み取った画素値の平均値を求める方法（例えば、特許文献３）等がある。
【０００３】
【特許文献１】
特開２００２−２４７３５２号公報
【特許文献２】
特開平１０−２９４８７０号公報
【特許文献３】
特開２０００−２７０１５９号公報
【０００４】
【発明が解決しようとする課題】
しかしながら、上記従来技術は、補正手段の補正精度をどのように改善しても、あくまでも周辺画素から推定される値に置き換えることしかできず、欠落してしまった画素の情報を、原稿を正しく読取った場合の画素情報と正確に同じにすることはできない。このため、ファクシミリで送信された画像データは、受信者には正確な画像情報かそうでないか、即ち、受信した画像が補正された画像なのかどうかが判断できず、送信者、受信者ともに、情報の不一致を共有することすらできないという問題があった。
【０００５】
本発明は上記の問題を解決するためのもので、受信者に送信されてきた画像データに何らかの欠陥があり、その画像に対して何らかの補正が施されていることを受信者が知ることができるようにする画像読取装置、画像形成装置、プログラム及び記録媒体を提供することを目的とする。
【０００６】
【課題を解決するための手段】
上記の目的を達成するために本発明による画像読取装置は、原稿を光学的に読み取り、画像データを出力する光電変換手段と、前記画像データにおける濃度情報が欠落した画素を検出する欠陥画素検出手段とを有する画像読取装置において、前記欠陥画素検出手段が欠落画素を検出したことをユーザに通知する通知手段を設けたものである。
【０００７】
また、本発明による画像形成装置は、欠落画素を補正した補正後画像データと補正前画像データとを受信して保持する受信保持手段と、前記保持した二つの画像データの一つを選択する選択手段と、前記選択した補正後又は補正前画像データを用いて画像形成する画像形成手段とを設けたものである。
【０００８】
また、本発明による画像形成装置は、欠落画素を補正した補正後画像データと補正前画像データのいずれかを選択する選択手段と、前記選択を促す情報を受信しこれに応じて前記選択手段で選択した情報を送信する通信手段と、前記選択した情報に応じて送られてきた補正後画像データ又は補正前画像データを用いて画像形成する画像形成手段とを設けたものである。
【０００９】
また、本発明によるプログラムは、原稿を光学的に読み取り、画像データを出力する光電変換処理と、前記画像データにおける濃度情報が欠落した画素を検出する欠陥画素検出処理と、前記欠落画素が検出されたことをユーザに通知する通知処理とをコンピュータに実行させるためのものである。
【００１０】
また、本発明によるプログラムは、欠落画素を補正した補正後画像データと補正前画像データとを受信して保持する受信保持処理と、前記保持した二つの画像データの一つを選択する選択処理と、前記選択した補正後又は補正前画像データを用いて画像形成する画像形成処理とをコンピュータに実行させるためのものである。
【００１１】
また、本発明によるプログラムは、欠落画素を補正した補正後画像データと補正前画像データのいずれかを選択する選択処理と、前記選択を促す情報を受信しこれに応じて前記選択処理で選択した情報を送信する送信処理と、前記選択した情報に応じて送られてきた補正後画像データ又は補正前画像データを用いて画像形成する画像形成処理とをコンピュータに実行させるためのものである。
【００１２】
また本発明による記録媒体は、前記のいずれかのプログラムを記録したものである。
【００１３】
【発明の実施の形態】
以下、本発明の実施の形態を図面と共に説明する。
図１は本発明の実施の形態による画像読取装置の構成図である。
主な構成としては、読取装置本体１と原稿搬送装置２と原稿読取台３が設けられており、これによってイメージスキャナを構成している。
【００１４】
読取装置本体１の内部には、キセノンランプや蛍光灯で構成される光源４ａとミラー４ｂとを備えた第１の走行体４と、ミラー５ａ、５ｂを備えた第２の走行体５と、レンズ６と、一次元の光電変換素子（本例ではＣＣＤを使用する）７と、第１、第２の走行体４、５を駆動するステッピングモータ８とからなる露光走査光学系９が設けられている。なお、この露光走査光学系９の下段の構成についての説明はここでは省略する。
【００１５】
原稿搬送装置２には、ＳＤＦユニット１０と、原稿台１１とが設けられている。ＳＤＦユニット１０内にはステッピングモータ１２が備えられている。
原稿読み取り台３には、上部に原稿押さえ板１４が回動自在に取り付けられており、原稿１３はこの原稿押さえ板１４の下のコンタクトガラス上にセットされる。原稿読み取り台３の端部には、シェーディング補正用の白基準板１５が配置されている。
【００１６】
図２は画像読取装置の全体制御ブロック図である。また、図３はブックモード時の原稿読み取り部の構成図、図４はＳＤＦモード時の原稿読み取り部の構成図である。
図２に示す画像読取装置は、光源４ａ、ＣＣＤ　７、ステッピングモータ８、１２、ＣＰＵ　１６、光源ドライバ１７、ＣＣＤ駆動部１８、画像処理部１９、モータドライバ２０、２８、スキャンバッファ２５、Ｉ／Ｆコントローラ２６、バッファコントローラ２７を備える。
【００１７】
原稿読み取りモードとしては、図３に示すような原稿読み取り台３を用いて画像データの読み取りを行うブックモードと、図４に示すような原稿搬送装置２を用いて画像データの読み取りを行うＳＤＦモードとがある。
【００１８】
まず、図３に示すようなブックモードにおける画像データ読み取りの基本動作について述べる。原稿１３を原稿押さえ板１４下の原稿読み取り台３上にセットした後、ＣＰＵ１６は光源ドライバ１７を動作させて光源４ａをオンにする。次に、ＣＣＤ駆動部１８により駆動されるＣＣＤ７で白基準板１５を読み取り、画像処理部１９内のＡ／Ｄコンバータ（図示せず）でアナログデジタル変換を行い、画換データのシェーディング補正用の基準データとして画像処理部１９内のＲＡＭ（図示せず）に記憶する。
【００１９】
ＣＰＵ１６は、モータドライバ（駆動装置）２０をドライブして、ステッピングモータ８を動作させ、これにより、第１の走行体４は原稿１３のある方向へ移動する。第１の走行体４が原稿面を一定速度で走査することにより、その原稿１３の画像データがＣＣＤ　７により光電変換される。
【００２０】
図５は図２に示す画像処理部１９の基本的な構成を示すブロック図である。
この画像処理部１９は、アナログビデオ処理部２１、シェーディング補正理部２２、画像データ処理部２３、２値化処理部２４を備える。ここで光電変換されたアナログビデオ信号ａは、アナログビデオ処理部２１でディジタル変換の処理まで行われた後、シェーディング補正処理部２２、画像データ処理部２３により、それぞれシェーディング補正、各種の画像データ処理を行った後、２値画像を所望とする場合は、２値化処理部２４により２値化データｂを作成する。多値データを所望する場合は８ｂｉｔデータｂとして後段に送る。その後、その２値化データあるいは多値データｂをスキャンバッファ２５に順次記憶していく。
【００２１】
図２において、Ｉ／Ｆコントローラ２６は、スキャンバッファ２５内のデータを外部ホストコンピュータ（図示せず）等の装置に出力する制御を行う。バッファコントローラ２７は、スキャンバッファ２５への画像データの入出力管理を行う。
【００２２】
次に、図４に示すようなＳＤＦモードにおける画像データ読み取りの基本動作について述べる。この場合にも、まず、白基準板１５が読み込まれた後、ステッピングモータ１２をＣＰＵ１６がモータドライバ（駆動装置）２８でドライブすることにより、原稿台１１にセットされた原稿１３を、分離ローラ２９、搬送ローラ３０で搬送していき、第１の走行体４の所定の読み取り位置まで搬送する。このとき、原稿１３は一定速度で搬送されていき、第１の走行体４は、停止したままで原稿面の画像データをＣＣＤ７で読み取る。
以下、ブックモードと同様の処理を行い、２値化あるいは多値の画像データは、スキャンバッファ２５に記憶され、Ｉ／Ｆコントローラ２６を介してホストコンピュータ（図示せず）等に送られる。
【００２３】
図６は図５の画像処理部１９をさらに詳細に示すブロック図である。
図５に示すアナログビデオ処理部２１は、プリアンプ回路３１と、可変増幅回路３２を備えている。また、シェーディング補正処理部２２は、Ａ／Ｄコンバータ３３、黒補正演算回路３４、シェーディング補正演算回路３５、ラインバッファ３６を備えている。
【００２４】
光源４ａで原稿読み取り台３上にある原稿１３を照射した反射光を、シェーディング調整板３７を通して、レンズ６によって集光し、ＣＣＤ　７に結像する。なお、図６では説明の簡単化のために、反射光を折り返すためのミラーは省略している。シェーディング調整板３７は、ＣＣＤ　７の中央部と端部での反射光量の差を無くすための光量調整の役割を果たす。これは、シェーディング演算処理において、あまりにＣＣＤ中央部と端部で反射光量の差が有りすぎると、多分に歪を含んだ演算結果しか得られないために、予め反射光量の差を無くした後にシェーディング演算処理を行うためのものである。
【００２５】
次に、第１から４の実施の形態について図７から図１０を参照して説明する。図７から図１０は画像読取装置の欠陥画素処理部及び通信部の構成を示すブロック図であり、互いに対応する部分には同一符号が付されている。
まず、請求項１、２、７、８の発明に関する第１の実施の形態の構成を図７を用いて説明する。
原稿を読み取る前に、読み取り部はコンタクトガラス上のゴミを検出するために検出用の画像を読み取る。検出処理は検出開始信号がイネーブル信号になったら開始する。検出するためのデータは図７の欠陥画素処理部４０に渡され、まず欠陥画素の有無を検出する。
【００２６】
欠陥画素処理部４０において、読み取った１ラインの画像データは、２値化処理手段４１によって２値化され、次段の欠陥画素保持手段４３において検出結果として記憶手段４２に保持する。欠陥画素保持手段４３によって保持されたデータは、記憶手段４２のアドレスと画素の位置が対応しており、そこに書き込まれたデータが０の場合は正常な画素、１が書き込まれた画素が欠落画素を示す。
【００２７】
ここでは、欠落画素はコンタクトガラス上にある遮蔽物によって、ＣＣＤへの反射光の入力を遮る物であるとする。あらかじめ検出のしきい値レベルを評価、決定しておく。反射光が遮られ、かつ遮蔽物からの反射が小さい場合、例えば黒いゴミによって生じた欠落画素の濃度は常に高くなるので、２値化処理によって検出することができる。検出された欠落画素は記憶手段４２に保持されたデータに基づいて欠陥画素補正手段４５により補正される。欠陥画素補正手段４５は制御手段４４により制御される。
【００２８】
次に、請求項１、７の場合は、欠陥画素補正手段４５により欠落画素を補正した画像と、補正したか否かを示す情報とを、制御手段４４、欠陥画素補正手段４５からＩ／Ｆコントローラを介してＣＰＵ４７が読み取り、ＭＯＤＥＭ４８を介して送信（信号４９）する。
請求項２、８の場合は、上記補正した画像と、補正する前の画像と、これらの二つの画像を送ったことを示す情報とを、ＣＰＵ４７がＩ／Ｆコントローラ４６を介して読み取り、ＭＯＤＥＭ４８を介して送信（信号４９）する。
【００２９】
本実施の形態によれば、
請求項１、７の場合は、受信者に送信されてきた画像データに何らかの欠落があり、その画像に対して何らかの補正が施されていることを受信者に通知することができる。これにより、受信者は受信した画像データの状態を知ることができる。
【００３０】
また、請求項１、７の場合では、受信者は配信された画像データに何らかの欠落があることを知ることができるが、送信されてきたデータは正しい画素情報がどの程度得られたかどうかを判断することができないと言う欠点が残る。
そこで請求項２、８によれば、受信者は異なる二つの画像データを得ることにより、送信されて来た画像データに何らかの欠落があり、最悪の場合両者を見比べることにより、送信者の送りたい画像データ（情報）を知ることができる。
【００３１】
次に、請求項３、９の発明に関する第２の実施の形態を図８を用いて説明する。
原稿を読み取る前に、読み取り部はコンタクトガラス上のゴミを検出するために検出用の画像を読み取る。検出処理は検出開始信号がイネーブル信号になったら開始する。検出するためのデータは図８の欠陥画素処理部４０に渡され、まず欠陥画素の有無を検出する。
【００３２】
欠陥画素処理部４０において、読み取った１ラインの画像データは、２値化処理手段１によって２値化され、次段の欠陥画素保持手段４３において検出結果として記憶手段４２に保持する。欠陥画素保持手段４３によって保持されたデータは、記憶手段４２のアドレスと画素の位置が対応しており、そこに書き込まれたデータが０の場合は正常な画素、１が書き込まれた画素が欠落画素を示す。ここでは、欠落画素はコンタクトガラス上にある遮蔽物によって、ＣＣＤへの反射光の入力を遮る物であるとする。あらかじめ、検出のしきい値レベルを評価、決定しておく。反射光が遮られ、かつ遮蔽物からの反射が小さい場合、例えば黒いゴミによって生じた欠落画素の濃度は常に高くなるので、２値化処理によって検出することができる。
【００３３】
検出された欠落画素は記憶手段４２に保持されたデータに基づいて欠落画素補正手段４５で補正される。欠陥画素補正手段４５は制御手段４４により制御される。
【００３４】
次に、欠落画素を補正した画像と、補正する前の画像と、二つの画像を送ったことを示す情報とをＣＰＵ４７がＩ／Ｆコントローラ４６を介して読み取り、ＭＯＤＥＭ４８を介して、本発明の実施の形態による受信側の画像形成装置としてのファクシミリ装置１００に送信（信号４９）する。ファクシミリ装置１００においては、受信保持手段により、受信した二つの画像は一度保持され、受信者は欠落画素を補正した画像、又は補正前の画像のいずれかを選択手段により選び、画像形成手段によりプリントすることができる。
【００３５】
前記請求項２、８においては、画素の欠落が生じた場合には、受信者の意志にかかわらず似たような二つの画像データが送信されてくる。このため、経費削減などが厳しいオフィスなどでは二つの画像データをプリントするための紙のコストがかかると言う欠点がある。
【００３６】
本実施の形態によれば、受信者は異なる二つの画像データが送信されてきたことを知ることができるので、送信されてきた画像データの欠陥を認識し、どちらかの画像データをプリントすることにより、プリントコストを半分に抑えることができる。
【００３７】
次に、請求項４、１０の発明に関する第３の実施の形態を図９を用いて説明する。
原稿を読み取る前に、読み取り部はコンタクトガラス上のゴミを検出するために検出用の画像を読み取る。検出処理は検出開始信号がイネーブル信号になったら開始する。検出するためのデータは図９の欠陥画素処理部４０に渡され、まず欠陥画素の有無を検出する。
【００３８】
欠陥画素処理部４０において、読み取った１ラインの画像データは、２値化処理手段１によって２値化され、次段の欠陥画素保持手段４３において検出結果として記憶手段４２に保持する。欠陥画素保持手段４３によって保持されたデータは、記憶手段４２のアドレスと画素の位置が対応しており、そこに書き込まれたデータが０の場合は正常な画素、１が書き込まれた画素が欠落画素を示す。ここでは、欠落画素はコンタクトガラス上にある遮蔽物によって、ＣＣＤへの反射光の入力を遮る物であるとする。あらかじめ、検出のしきい値レベルを評価、決定しておく。反射光が遮られ、かつ遮蔽物からの反射が小さい場合、例えば黒いゴミによって生じた欠落画素の濃度は常に高くなるので、２値化処理によって検出することができる。
【００３９】
検出された欠陥画素は記憶手段４２に保持されたデータに基づいて欠落画素補正手段４５で補正される。欠陥画素補正手段４５は制御手段４４により制御される。次に、欠落画素の有無を欠陥保持画素手段４５によりＣＰＵ４７がＩ／Ｆコントローラ４６を介して読み取り、ＭＯＤＥＭ４８を介して送信（信号４９）する。
【００４０】
受信側ファクシミリの受信者は、補正がかかったと言う情報を受け取ると、補正後の画像を受信するのか、補正前の画像を受け取るのかを選択し、その選択情報を送信者へ送信（信号５０）する。それを受けたＭＯＤＥＭ４８はＣＰＵ４７へ情報を伝達し、Ｉ／Ｆコントローラ４６を介して制御手段４４へ命令を出し、上記選択情報に応じて欠陥画素補正手段４５により補正し、ＣＰＵ４７の命令によりＭＯＤＥＭ４８介して画像を送信（信号４９）する。
【００４１】
前記請求項３、９の場合は、画素の欠落が生じた場合に受信者の意志にかかわらず似たような二つの画像データが送信されてくる。このため、経費削減などが厳しいオフィスなどでは二つの画像データの通信コストがかかると言う欠点がある。
【００４２】
本実施の形態によれば、送信側のファクシミリは、画像を送る前に、欠落画素があることを受信者側に送信する。受信者は、二つの異なるデータが送信されてくることを知ると共に、どちらかを選択し、選択した情報を送信側に伝えることにより、希望する画像データを受け取ることができる。また、どちらかの画像データをプリントすることにより、画像データに何らかの欠落があることを知り、且つ通信コストを半分に抑えることができる。
【００４３】
次に、請求項５、１１の発明に関する第４の実施の形態を図１０を用いて説明する。
原稿を読み取る前に、読み取り部はコンタクトガラス上のゴミを検出するために検出用の画像を読み取る。検出処理は検出開始信号がイネーブル信号になったら開始する。検出するためのデータは図１０の欠陥画素処理部４０に渡され、まず欠陥画素の有無を検出する。
【００４４】
欠陥画素処理部４０において、読み取った１ラインの画像データは、２値化処理手段１によって２値化され、次段の欠陥画素保持手段４３において検出結果として記憶手段４２に保持する。欠陥画素保持手段４３によって保持されたデータは、記憶手段４２のアドレスと画素の位置が対応しており、そこに書き込まれたデータが０の場合は正常な画素、１が書き込まれた画素が欠落画素を示す。ここでは、欠陥画素はコンタクトガラス上にある遮蔽物によって、ＣＣＤへの反射光の入力を遮る物であるとする。あらかじめ、検出のしきい値レベルを評価、決定しておく。反射光が遮られ、かつ遮蔽物からの反射が小さい場合、例えば黒いゴミによって生じた欠落画素の濃度は常に高くなるので、２値化処理によって検出することができる。
【００４５】
検出された欠落画素は記憶手段４２に保持されたデータに基づいて欠落画素補正手段４５で補正される。欠陥画素補正手段４５は制御手段４４により制御される。次に、欠落画素を補正した画像と、補正する前の画像をＣＰＵ４７がＩ／Ｆコントローラ４６を介して読み取り、ディスプレイ５１へ表示する。送信者は欠落画素を補正した画像と、補正する前の画像とを比較し、どちらかの画像を選択してＭＯＤＥＭ８を介して送信（信号４９）する。
【００４６】
前記請求項３、４、９、１０の場合は、受信者が異なる二つの画像データのどちらかを選ぶので、送信者が送りたかった画像と異なる可能性がある欠点がある。
【００４７】
本実施の形態によれば、送信者は欠落画素が補正されたことを知り得ると共に、ディスプレイ５１により補正した画像と、補正前の画像とを見比べて内容を確認し、一方の画像を選択して送信するので、送信者の意図通りの画像を送ることができる。
【００４８】
尚、図７から図１０について説明した動作に基づく処理を、画像読取装置及び画像形成装置のコンピュータが実行するためのプログラムは本発明によるプログラムを構成する。また、このプログラムを記録した記録媒体は本発明による記録媒体を構成する。この記録媒体としては、光磁気ディスク、光ディスク、半導体メモリ、磁気記録媒体等を用いることができる。
【００４９】
【発明の効果】
請求項１、７の発明によれば、受信者に送信されてきた画像データに何らかの欠陥があり、その画像が補正されていることを受信者に通知することができるので、受信者は受信した常に画像データの状態を知ることができる。
【００５０】
また、請求項２、８の発明によれば、受信者は補正前と補正後の二つの画像データを得ることができるので、両者を見比べることにより、送信者が送りたい画像データ（情報）を知ることができる。
【００５１】
また、請求項３、９の発明によれば、受信者は補正前と補正後の二つの画像データが送信されてきたことを知ることができるので、どちらかの画像データをプリントすることにより、プリントコストを半分に抑えることができる。
【００５２】
また、請求項４、１０の発明によれば、送信側のファクシミリは、画像を送る前に、欠落画素があることを受信者に送信し、補正前と補正後の二つの異なる画像データのどちらかを選択して送信側に伝えることにより、希望する画像データを受け取ることができる。また、受け取った画像データをプリントすることにより、通信コストを半分に抑えることができる。
【００５３】
また、請求項５、１１の発明によれば、送信者は欠落画素が補正されたことを知り得ると共に、補正前の画像と補正後の画像とを見比べて内容を確認し、一方の画像を選択して送信するので、送信者の意図通りの画像を送ることができる。
【図面の簡単な説明】
【図１】本発明の実施の形態による画像読取装置を示す構成図である。
【図２】画像読取装置の全体制御ブロック図である。
【図３】ブックモード時の原稿読取部の構成図である。
【図４】ＳＤＦモード時の原稿読取部の構成図である。
【図５】画像処理部の基本的な構成を示すブロック図である。
【図６】画像処理部の詳細な構成を示すブロック図である。
【図７】本発明の第１の実施の形態による欠陥画素処理部と通信部を示すブロック図である。
【図８】本発明の第２の実施の形態による欠陥画素処理部と通信部を示すブロック図である。
【図９】本発明の第３の実施の形態による欠陥画素処理部と通信部を示すブロック図である。
【図１０】本発明の第４の実施の形態による欠陥画素処理部と通信部を示すブロック図である。
【符号の説明】
７　ＣＣＤ
９　露光光学系
１３　原稿
１５　白基準板
１６　ＣＰＵ
１９　画像処理部
４０　欠陥画素処理部
４１　２値化手段
４２　記憶手段
４３　欠陥画素保持手段
４４　制御手段
４５　欠陥画素補正手段
４６　Ｉ／Ｆコントローラ
４７　ＣＰＵ
４８　ＭＯＤＥＭ
４９、５０　信号
５１　ディスプレイ
１００　ファクシミリ
【図１】
2004112359.tif 000003
【図２】
2004112359.tif 000004
【図３】
2004112359.tif 000005
【図４】
2004112359.tif 000006
【図５】
2004112359.tif 000007
【図６】
2004112359.tif 000008
【図７】
2004112359.tif 000009
【図８】
2004112359.tif 000010
【図９】
2004112359.tif 000011
【図１０】
2004112359.tif 000012